(57)【要約】【課題】送受信機のサイズを小さくすることが可能な光モジュールを提供する。【解決手段】光モジュール１００は、波長の異なる複数の光信号が多重化された波長多重光が入射あるいは出射するコモンポート１１０と、所望の波長帯域の光を反射するとともにそれ以外の波長の光を通過させる反射面が端面の１つに形成され、コモンポート１１０から入射した波長多重光を反射面で反射して波長毎の光信号に分波する、あるいは、波長の異なる複数の光信号を合波してコモンポート１１０から出射させる波長選択素子１６０〜１９０とを備えている。波長選択素子１６０〜１９０は、波長多重光が反射面を貫くよう一列に配置されており、さらに、波長多重光の伝搬光路に対して左右交互に傾いている。【選択図】図１
2014123054.tif 000002
【特許請求の範囲】
【請求項１】
波長の異なる複数の光信号が多重化された波長多重光が入射あるいは出射するコモンポートと、
所望の波長帯域の光を反射するとともにそれ以外の波長の光を通過させる反射面が端面の１つに形成され、前記コモンポートから入射した前記波長多重光を前記反射面で反射して波長毎の光信号に分波する、あるいは、波長の異なる複数の光信号を合波して前記コモンポートから出射させる複数の波長選択素子と、を備え、
前記複数の波長選択素子は、前記波長多重光が前記反射面を貫くよう一列に配置されており、さらに、前記波長多重光の伝搬光路に対して左右交互に傾いている、
光モジュール。
【請求項２】
前記複数の波長選択素子は、それぞれ直前にある波長選択素子に前記波長多重光の反射光が入射する範囲内の傾斜角で傾いており、それぞれ前記反射面が形成された側の端面とその反対側の端面とは平行になっている、
請求項１に記載の光モジュール。
【請求項３】
前記複数の波長選択素子は、前記コモンポートの近くにある波長選択素子ほど短い波長帯域の光を反射するよう配置されている、
請求項２に記載の光モジュール。
【請求項４】
前記複数の波長選択素子は、それぞれ前記波長多重光とその反射光とのなす角の絶対値が他の全ての波長選択素子と等しくなるよう配置されている、
請求項１乃至３のいずれか１項に記載の光モジュール。
【請求項５】
前記複数の波長選択素子は、それぞれ直前もしくは直後にある波長選択素子の反射面に反射面が対向するよう設置されている、
請求項４に記載の光モジュール。
【請求項６】
前記波長多重光とその反射光は全て同一平面上を進行しており、
前記波長多重光の反射光が入射する位置に配置され、入射した反射光を前記平面以外の方向に折り曲げながら集光する非軸放物面鏡と、
前記非軸放物面鏡で折り曲げられた光が集光する場所に受光面が位置し、前記受光面で受光した光信号を電気信号に変換して出力する受光素子と、を備え、
請求項１乃至５のいずれか１項に記載の光モジュール。
【請求項７】
前記受光素子は、前記受光面が前記非軸放物面鏡で折り曲げられた光の進行方向に対して傾斜するよう配置されている、
請求項６に記載の光モジュール。
【請求項８】
波長毎の光信号を出射する複数のチャネルポート、若しくは、波長毎の光信号を受光して電気信号として出力する複数の受光素子、を備え、
前記複数の波長選択素子の後段には、全ての波長選択素子を通過した光を通過させずに反射して、前記複数のチャネルポートの１つから出射させる、若しくは前記複数の受光素子の１つから電気信号として出力させる反射ミラーが設置されている、
請求項１乃至７のいずれか１項に記載の光モジュール。
【発明の詳細な説明】
【技術分野】
【０００１】
本発明は、光モジュールに関する。
【背景技術】
【０００２】
１本の光ファイバで光信号を多重伝送する波長分割多重（ＷＤＭ：Wavelength Division Multiplexing）方式が知られている。このＷＤＭ方式では、波長多重光（波長の異なる複数の光信号が多重化された光）を波長毎の光信号に分波する光分波器や、波長の異なる複数の光信号を合波する光合波器が用いられる。特許文献１には、波長多重光を入出射するコモンポートと、波長毎の光信号が入出射する複数のチャネルポートと、コモンポートまたはチャネルポートから入射された光を多重反射させる多重反射部とを備えた光合分波器が開示されている。
【先行技術文献】
【特許文献】
【０００３】
【特許文献１】特開２０１１−１２８５３９号公報
【発明の概要】
【発明が解決しようとする課題】
【０００４】
近年、光信号を送受信する送受信機の小型化が進んでおり、送受信機に内臓可能な小型の光分波器や光合波器の需要が高まっている（以下、光分波器や光合波器を総称して「光モジュール」という）。しかしながら、特許文献１に示すような光モジュールでは、光を多重反射させているために、光学系の一番端にコモンポートを持ってきて、光モジュールの幅を一方向に長くする必要がある。そのため、送受信機のサイズを小さくできない。
【０００５】
本発明はこのような問題に鑑みてなされたものであり、送受信機のサイズを小さくすることが可能な光モジュールを提供することを目的とする。
【課題を解決するための手段】
【０００６】
本発明の光モジュールは、波長の異なる複数の光信号が多重化された波長多重光が入射あるいは出射するコモンポートと、所望の波長帯域の光を反射するとともにそれ以外の波長の光を通過させる反射面が端面の１つに形成され、コモンポートから入射した波長多重光を反射面で反射して波長毎の光信号に分波する、あるいは、波長の異なる複数の光信号を合波してコモンポートから出射させる複数の波長選択素子とを備えている。複数の波長選択素子は、波長多重光が反射面を貫くよう一列に配置されており、さらに、波長多重光の伝搬光路に対して左右交互に傾いている。
【発明の効果】
【０００７】
本発明によれば送受信機のサイズを小さくすることが可能な光モジュールを提供できる。
【図面の簡単な説明】
【０００８】
【図１】本発明の実施の形態に係る光モジュールの平面図である。
【図２】本発明の実施の形態に係る光モジュールをコモンポート側から見た図である。
【図３】波長選択素子の傾斜角が統一されている様子を示す図である。
【図４】波長選択素子の反射面とその反対面とが平行であることを説明するための図である。
【図５】光モジュールの変形例を説明するための図であり、（Ａ）は波長選択素子の大きさが異なる光モジュールを示す図、（Ｂ）は最後段の波長選択素子が反射ミラーに置き換えられた光モジュールを示す図である。
【図６】光モジュールの変形例を説明するための図であり、（Ａ）は非軸放物面鏡を使用した光モジュールの平面図、（Ｂ）はその側面図である。
【図７】受光素子の受光面が非軸放物面鏡で折り曲げられた反射光の進行方向に対して傾斜している様子を示す図である。
【図８】光モジュールの変形例を説明するための図であり、（Ａ）は波長選択素子にバンドパスフィルタを使用した光モジュールの平面図、（Ｂ）は各波長選択素子の光の通過帯域を説明するための図である。
【発明を実施するための形態】
【０００９】
以下、本発明を実施するための形態について図面を参照しながら説明する。
【００１０】
本発明の実施の形態に係る光モジュール１００は、外部から入射された波長多重光を波長毎の光信号に分波して外部に出力したり、外部から入射された波長の異なる複数の光信号を合波して外部に出力したりする光合分波器である。光モジュール１００は、図１に示すように、コモンポート１１０と、チャネルポート１２０〜１５０と、波長選択素子１６０〜１９０とから構成される。
【００１１】
コモンポート１１０は、波長多重光が入出射する入出力ポートである。コモンポート１１０は、入出力口１１１と、レンズ１１２とから構成される。入出力口１１１は、光ファイバ（例えば、開口数が０．１のシングルモード光ファイバ）を接続可能な接続口から構成される。入出力口１１１は、光ファイバから波長多重光が入射されると、入射された波長多重光をレンズ１１２に送出する。反対に、レンズ１１２から波長多重光が入射されると、入射された波長多重光を光ファイバに送出する。レンズ１１２は、コリメートレンズ（例えば、焦点距離が１．０ｍｍの非球面レンズ）である。レンズ１１２は、入出力口１１１から波長多重光が入射されると、入射された波長多重光をコリメート光（平行光）に変換して後述の波長選択素子１６０に送出する。反対に、波長選択素子１６０から波長多重光が入射されると、入射された波長多重光を集光して入出力口１１１に送出する。
【００１２】
チャネルポート１２０〜１５０は、波長毎の光信号を入出射させるための入出力ポートである。チャネルポート１２０〜１５０は、コモンポート１１０を挟むように、コモンポート１１０の左右方向にそれぞれ配置されている。具体的には、チャネルポート１２０と１３０はコモンポート１１０の右方向に配置され、チャネルポート１４０と１５０はコモンポート１１０の左方向に配置されている。なお、「右方向」とは、図２に示すように、コモンポート１１０から入射した波長多重光の進行方向（図１に示す（ａ）の破線上の矢印の示す方向）に向かって右手側１８０°の方向のことであり、左方向とは左手側１８０°の方向のことである。
【００１３】
図１に戻り、チャネルポート１２０〜１５０は、それぞれ入出力口１２１、１３１、１４１、１５１と、レンズ１２２、１３２、１４２、１５２とから構成される。入出力口１２１、１３１、１４１、１５１は、光ファイバを接続可能な接続口から構成される。また、レンズ１２２、１３２、１４２、１５２は、コリメートレンズ（例えば、焦点距離が１．０ｍｍの非球面レンズ）から構成される。
【００１４】
波長選択素子１６０〜１９０は、透明体１６１、１７１、１８１、１９１の平面の１つに、反射面１６２、１７２、１８２、１９２がそれぞれ形成されたリフレクションフィルタである。透明体１６１、１７１、１８１、１９１は、例えば、厚さ１．０ｍｍの板状の合成石英ガラスから構成される。また、反射面１６２、１７２、１８２、１９２は、所望の波長帯域の光を反射するとともにそれ以外の波長の光を通過させる薄膜状のフィルタ、例えば、誘電体多層膜フィルタから構成される。反射面１６２、１７２、１８２、１９２は、それぞれ、波長λ１、λ２、λ３、λ４の波長反射特性を持っており、波長多重光の中からそれぞれ波長λ１、λ２、λ３、λ４の光を反射させる。なお、反射面１６２、１７２、１８２、１９２は、前段側にある反射面ほど短波長帯域の光を反射する。例えば、反射面１６２は波長１２９４.５ｎｍ〜１２９６．６ｎｍの光を反射し、反射面１７２は波長１２９９ｎｍ〜１３０１ｎｍの光を反射し、反射面１８２は波長１３０３．５ｎｍ〜１３０５．６ｎｍの光を反射し、反射面１９２は波長１３０８．１ｎｍ〜１３１０．２ｎｍの光を反射する。なお、反射面は薄膜状であるが、視認容易にするため、図面中では若干厚めに描いている。
【００１５】
波長選択素子１６０〜１９０は、波長多重光が反射面を貫くよう一列に配置されている。また、波長選択素子１６０〜１９０は、波長多重光の伝搬光路に対して左右交互に傾いて配置されている。波長選択素子１７０〜１９０の傾斜角は、チャネルポートの設置位置が左右に大きく広がらないよう、浅い傾斜角となっている。具体的には、直前にある波長選択素子にその反射光が入射する範囲内の傾斜角となっている。例えば、図１に示す波長選択素子１７０であれば、直前の波長選択素子１６０に、図１に示す（ｃ）の伝送光路を進む反射光が入射する程度の傾斜角となっている。なお、本実施の形態では、光モジュール１００製作時のアライメント調整（例えば、チャネルポート１２０〜１５０の実装角度の調整等）を考慮して、波長多重光とその反射光とのなす角の絶対値が全て等しくなるよう、全ての波長選択素子で傾斜角を統一している。図３の例であれば、５°で統一している。なお、波長選択素子１６０〜１９０は、反射光が前段の波長選択素子に再入射しても、その入射角と出射角が変化しないよう、図４に示すように、反射面とその反対面は平行になっている。
【００１６】
次に、このような構成を有する光モジュール１００の合分波動作について説明する。
【００１７】
最初に、光モジュール１００の分波動作について説明する。なお、以下の説明では、コモンポート１１０に入射される波長多重光は、図１に示すように、波長λ１、λ２、λ３、λ４の４つの光信号が合波された光であるものとする。また、「反射光」は、波長多重光が波長選択素子１６０〜１９０で反射された光（図１の（ｂ）〜（ｅ）の伝搬光路を進行する光）をいうものとする。
【００１８】
コモンポート１１０の入出力口１１１に波長多重光が入射されると、レンズ１１２は波長多重光をコリメート光に変換して波長選択素子１６０に向かって出射する。
【００１９】
波長選択素子１６０に波長多重光が入射すると、波長選択素子１６０の反射面１６２は、入射した光の中から波長λ１の光のみを反射させる。反射光は図１に示す（ｂ）の伝搬光路を通ってチャネルポート１３０に到達する。チャネルポート１３０は、到達した反射光をレンズ１３２で集光し、光信号として入出力口１３１から出射する。
【００２０】
反射面１６２で反射されずに通過した光は波長選択素子１６０の直後にある波長選択素子１７０に入射する。波長選択素子１７０の反射面１７２は、入射した光の中から波長λ２の光のみを反射させる。反射光は図１に示す（ｃ）の伝搬光路を通ってチャネルポート１４０に到達する。チャネルポート１４０は、到達した反射光をレンズ１４２で集光し、光信号として入出力口１４１から出射する。
【００２１】
反射面１７２で反射されずに通過した光は波長選択素子１７０の直後にある波長選択素子１８０に入射する。波長選択素子１８０の反射面１８２は、入射した光の中から波長λ３の光のみを反射させる。反射光は図１に示す（ｄ）の伝搬光路を通ってチャネルポート１２０に到達する。チャネルポート１２０は、到達した反射光をレンズ１２２で集光し、光信号として入出力口１２１から出射する。
【００２２】
反射面１８２で反射されずに通過した光は波長選択素子１８０の直後にある波長選択素子１９０に入射する。波長選択素子１９０の反射面１９２は、入射した光の中から波長λ４の光のみを反射させる。反射光は図１に示す（ｅ）の伝搬光路を通ってチャネルポート１５０に到達する。チャネルポート１５０は、到達した反射光をレンズ１５２で集光し、光信号として入出力口１５１から出射する。
【００２３】
次に、光モジュール１００の合波動作について説明する。
【００２４】
入出力口１２１〜１５１に入射された光信号はレンズ１２２〜１５２でコリメート光に変換され、それぞれ波長選択素子１６０〜１９０に向かって出射される。波長選択素子１６０〜１９０はそれぞれ反射面で到達した光信号を反射する。波長選択素子１６０〜１９０の反射面で反射された光信号は、全て図１に示す（ａ）の伝搬光路を進行することになる。そのため、波長選択素子１６０〜１９０の反射面で反射された光信号は、波長選択素子１６０の反射面１６２を通過したところで、波長λ１、λ２、λ３、λ４の光信号が合波された波長多重光となっている。コモンポート１１０は、合波された波長多重光をレンズ１１２で集光し、入出力口１１１から出射する。
【００２５】
本実施の形態によれば、波長選択素子１６０〜１９０が波長多重光を左右に振り分けて反射しているので、コモンポート１１０をチャネルポート１２０〜１５０の中央に配置できる。しかも、波長選択素子１６０〜１９０の傾斜角は浅い傾斜角となっているので、チャネルポート１２０〜１５０の配置が左右に大きく広がることはない。その結果、光モジュール１００の幅が短くなるので、光モジュール１００を内蔵する送受信機のサイズを小さくすることができる。
【００２６】
なお、波長選択素子１６０〜１９０の傾斜角を浅くした場合、後段の波長選択素子で反射した反射光は前段の波長選択素子に再入射することになる。そのため、再入射による伝搬光路の変化を考慮したアライメント調整が必要になる。しかしながら、各波長選択素子は、反射光が入射する端面と出射する端面とが平行になっているので、再入射した反射光の入射角と出射角は大きく変化しない。そのため、波長選択素子１６０〜１９０の傾斜角を浅くして反射光が波長選択素子に再入射したとしても、チャネルポート１２０〜１５０の実装角度等、アライメントの調整が必要以上に困難になることはない。
【００２７】
なお、波長選択素子の反射帯域は光の入射角が大きくなるほど短波長側にシフトする。そのため、後段の波長選択素子で反射されて再入射した反射光の入射角が大きいと、場合によっては、再入射した反射光をチャネルポート側（前段側）に通過させずに、再度、後段側に反射する。しかしながら、本実施の形態では、前段にある波長選択素子ほど短波長の光を反射するよう配置されているので、後段の波長選択素子から反射されて再入射される反射光は、常に、前段の波長選択素子の反射帯域より長い波長の光となる。そのため、前段の波長選択素子の反射帯域が短波長側にシフトしたとしても、再度、前段の波長選択素子で反射光が反射されることはない。
【００２８】
また、特許文献１に示すような従来の光合分波器では、波長選択素子の実装角度ずれが反射ごとに光の伝搬角度に重畳される。そのため、４チャネル光合分波器であれば、波長選択素子の実装角度精度を光線の伝搬角度精度の約１／８（＝１／２４）以下に抑える必要がある。しかしながら、本実施の形態では、波長λ１、λ２、λ３、λ４の各伝搬光路において、波長選択素子による反射は１回しか存在しない。そのため、要求される波長選択素子の実装角度精度は光線の伝搬角度精度と同等でよくなり、アライメントの調整が格段に容易になる。
【００２９】
また、波長選択素子１６０〜１９０の傾斜角度が全ての波長選択素子で統一されているので、チャネルポート１２０〜１５０やその他の部材の実装角度も統一される。そのため、光モジュール１００作製時のアライメントの調整は極めて容易である。
【００３０】
なお、上述の実施の形態は一例であり、種々の変更及び応用が可能である。
【００３１】
例えば、上述の実施の形態では、波長選択素子１６０〜１９０の大きさは全て同じ大きさとなっていたが、波長選択素子１６０〜１９０の大きさは異なっていてもよい。例えば、図５（Ａ）に示すように、前段にある波長選択素子ほど幅を大きくなっていてもよい。光モジュール１００作製時の波長選択素子のとり違いを防ぐことができる。
【００３２】
また、上述の実施の形態では、波長選択素子１６０〜１９０は、反射面が全て後段側に位置するよう配置されていたが、反射面は前段側に位置していてもよい。また、反射面が対向するよう、反射面を交互に前段側、後段側に配置してもよい。例えば、図５（Ａ）に示すように、波長選択素子１６０と１８０の反射面は後段側に、波長選択素子１７０と１９０の反射面は前段側に位置する。このような配置にすることで、波長選択素子１６０と１７０の反射点、ならびに波長選択素子１８０と１９０の反射点位置を近接することができ、結果としてコモンポート１１０をチャネルポート１２０〜１５０のほぼ中央に配置することができる。
【００３３】
また、上述の実施の形態では、チャネルポート１２０〜１５０に入射する光は全て波長選択素子１６０〜１９０で反射された光であったが、チャネルポート１２０〜１５０に入射する光は、波長選択素子１６０〜１９０で反射された光に限定されない。最後段の波長選択素子１９０は、波長λ４の光を反射するだけであるので、例えば図５（Ｂ）に示すように、光を通過させずにただ反射するだけの反射ミラー２１０（例えば、金属ミラー）に置き換えられてもよい。より安価に光モジュール１００を製造することができる。
【００３４】
また、上述の実施の形態では、波長選択素子とチャネルポートを４つずつ配置したが、これら数は４つに限定されず、例えば３つ以下であってもよいし、５つ以上であってもよい。
【００３５】
また、上述の実施の形態では、波長選択素子１６０〜１９０の実装角度を統一したが、実装角度は厳密に一致させなくてもよい。若干の違いであれば（例えば、プラスマイナス１°程度の違いであれば）、同一の実装角度とみなすことができる。また、実装角度も５°に限定されず、それぞれ任意の角度に変更可能である。また、波長選択素子それぞれ異なった実装角度であってもよい。また、波長選択素子１６０〜１９０の材料も合成石英に限定されず、例えば、人工水晶であってもよいし、Ｓｉ、ＧａＡｓ、ＩｎＰなどの半導体であってもよい。
【００３６】
また、波長選択素子１６０〜１９０に形成する反射面は、例えば、帯域を広めに設定したバンドパスフィルタ、ローパスフィルタ、若しくはバンドパスフィルタであってもよい。また、これらの組み合わせであってもよい。また、一般的に用いられる誘電体多層膜ではなくエタロンフィルタであってもよい。
【００３７】
また、上述の実施の形態では、波長選択素子１６０〜１９０の反射帯域を、それぞれ、波長１２９４.５ｎｍ〜１２９６．６ｎｍ、波長１２９９ｎｍ〜１３０１ｎｍ、波長１３０３．５ｎｍ〜１３０５．６ｎｍ、波長１３０８．１ｎｍ〜１３１０．２ｎｍとしたが、波長選択素子１６０〜１９０の反射帯域はこれらに限定されない。また、再入射時の透過波長帯域シフトの影響が小さい場合には反射帯域の順番も任意に変更してよい。例えば、反射帯域の順番を、波長１２９９ｎｍ〜１３０１ｎｍ、波長１３０３．５ｎｍ〜１３０５．６ｎｍ、波長１２９４.５ｎｍ〜１２９６．６ｎｍ、波長１３０８．１ｎｍ〜１３１０．２ｎｍの順番にすれば、チャネルポート１２０〜１５０の順を波長順にすることができる。
【００３８】
また、チャネルポート１２０〜１５０の構成は、入出力口とレンズの組み合わせに限定されない。例えば、光ファイバとレンズの組み合わせであってもよい。また、チャネルポート１２０〜１５０は、受光素子（例えば、フォトダイオード）や発光素子（例えば、レーザーダイオード）に置き換えられてもよい。受光素子や発光素子には、レンズを介して光が入出射されてもよい。なお、受光素子は複数の受光面がアレイ状に一体集積された受光素子であってもよい。製造時のアライメントや実装工程が簡単化される。
【００３９】
また、上述の実施の形態では、波長多重光とその反射光が、全て同一平面上を進行するような構成となっていたが、反射光の進路が上記平面以外の方向に折り曲げられるような構成となっていてもよい。例えば、図６（Ａ）に示すように、波長選択素子１６０〜１９０で反射された反射光の進路上に非軸放物面鏡２３１〜２３４を配置する。非軸放物面鏡２３１〜２３４は、軸外し放物面反射鏡から構成され、例えば図６（Ｂ）に示すように、受光素子２４１〜２４４の受光面に向かって反射光を集光させながら折り曲げる。これにより、受光素子の設置位置の自由度を高めることができ、結果、光モジュール１００を搭載する送受信機の設計自由度を高めることができる。
【００４０】
なお、波長選択素子１６０〜１９０や非軸放物面鏡２３１〜２３４は、金属製の土台（図６（Ａ）に示すキャリア２２０）の上に設置されていてもよい。キャリア２２０には、図６（Ｂ）に示すように、折り曲げられた反射光が通過するための間隙２２１が設けられていてもよい。受光素子の直上に間隙２２１を配置すれば、受光素子のリワークが容易になる。なお、キャリア２２０の素材は、波長選択素子１６０〜１９０と膨張率が近いガラスであってもよい。キャリア２２０と波長選択素子１６０〜１９０との接着面の熱応力を緩和し、光モジュール１００の信頼性を向上させることができる。なお、ガラスが光を透過するのであれば、間隙２２１は必ずしも必要ない。
【００４１】
また、受光素子２４１〜２４４の受光面は、図７に示すように、非軸放物面鏡２３１〜２３４で折り曲げられた反射光の進行方向に対して傾斜していてもよい。受光面で反射されて、非軸放物面鏡２３１〜２３４に戻る戻り光の量を抑えることができる。
【００４２】
また、波長選択素子１６０〜１９０の最後段にある波長選択素子１９０は、図８（Ａ）に示すように、反射ミラーであってもよい。また、他の波長選択素子は、反射面を交互に前段側、後段側に配置されていてもよい。
【００４３】
この場合、波長選択素子１６０〜１８０は、それぞれ、図８（Ｂ）に示すような透過帯域を有するバンドパスフィルタであってもよい。このとき、波長選択素子１６０は、波長λ２〜λ４の光を透過させるため、等価的に波長λ１のリフレクションフィルタとして機能する。また、波長選択素子１７０は、波長λ２〜λ３の光を透過させるが、波長λ１の光はすでに波長選択素子１６０で反射されているため、等価的に波長λ４のリフレクションフィルタとして機能する。また、波長選択素子１８０は、波長λ２〜λ３の光を透過させるが、波長λ１と波長λ４の光はすでに波長選択素子１６０と波長選択素子１７０で反射されているため、等価的に波長λ２のリフレクションフィルタとして機能する。一般的に、バンドパスフィルタはバンドリフレクションフィルタと比較して急峻な透過特性を有し、チャネル間のガードバンド波長が狭い波長選択に適している。しかし一方で、所望の波長のみを反射させることができないため、波長選択素子で選択できる波長の順番が定まるという問題がある。図８（Ａ）の例では、電気信号線路２５１〜２５４を迂回するように配置し、電気信号の順番を入れ替えることで、この問題を解決している。
【００４４】
本発明は、本発明の広義の精神と範囲を逸脱することなく、様々な実施の形態及び変形が可能とされるものである。また、上述した実施の形態は、本発明を説明するためのものであり、本発明の範囲を限定するものではない。つまり、本発明の範囲は、実施の形態ではなく、特許請求の範囲によって示される。そして、特許請求の範囲内及びそれと同等の発明の意義の範囲内で施される様々な変形が、本発明の範囲内とみなされる。
【符号の説明】
【００４５】
１００  光モジュール、１１０  コモンポート、１１１  入出力口、１１２  レンズ、１２０  チャネルポート、１２１  入出力口、１２２  レンズ、１３０  チャネルポート、１３１  入出力口、１３２  レンズ、１４０  チャネルポート、１４１  入出力口、１４２  レンズ、１５０  チャネルポート、１５１  入出力口、１５２  レンズ、１６０  波長選択素子、１６１  透明体、１６２  反射面、１７０  波長選択素子、１７１  透明体、１７２  反射面、１８０  波長選択素子、１８１  透明体、１８２  反射面、１９０  波長選択素子、１９１  透明体、１９２  反射面、２１０  反射ミラー、２２０  キャリア、２２１  間隙、２３１〜２３４  非軸放物面鏡、２４１〜２４４  受光素子、２５１〜２５４  電気信号線路。
【図１】
2014123054.tif 000003
【図２】
2014123054.tif 000004
【図３】
2014123054.tif 000005
【図４】
2014123054.tif 000006
【図５】
2014123054.tif 000007
【図６】
2014123054.tif 000008
【図７】
2014123054.tif 000009
【図８】
2014123054.tif 000010